(57)【要約】【課題】受信装置で省電力モードが解除される時間の短縮化を図る。【解決手段】送信装置は、間欠受信を行う受信装置に対し、間欠受信の間隔より短い間隔で少なくともプリアンブル，同期ワード，前記受信装置に対するデータを含むサブフレームが繰り返されるフレームを送信する送信部を含む。【選択図】図７
2016139990.tif 000002
【特許請求の範囲】
【請求項１】
間欠受信を行う受信装置に対し、前記間欠受信の間隔より短い間隔で少なくともプリアンブル，同期ワード，前記受信装置に対するデータを含むサブフレームが繰り返される無線フレームを送信する送信部
を含む送信装置。
【請求項２】
前記データは、前記無線フレームの終了時期の算出に用いられる情報を含む
請求項１に記載の送信装置。
【請求項３】
前記無線フレームにおいて前記サブフレームが連続して繰り返される
請求項１又は２に記載の送信装置。
【請求項４】
所定の周期で間欠受信を行う受信装置であって、
送信装置から、前記周期よりも短い間隔で、繰り返し送信される少なくともプリアンブルと同期ワード及び前記受信装置に対するデータと繰り返し送信が終了するまでの期間の算出に用いられる情報とを含む組のうちいずれかの組に含まれるプリアンブルを受信すると、同じ組に含まれるデータを受信するとともに、前記情報に基づいて、さらなる繰り返し送信が終了するまで受信した前記データの重複受信を抑制する制御を行う制御部、
を備えたことを特徴とする受信装置。
【請求項５】
前記繰り返し送信が終了するまでの期間の算出に用いられる情報は、残りのサブフレームの繰り返し回数を示す情報を含む
請求項４に記載の受信装置。
【請求項６】
送信装置のフレームの送信方法であって、
前記送信装置が、
受信装置で行われる間欠受信の間隔より短い間隔で少なくともプリアンブル，同期ワード，前記受信装置に対するデータを含むサブフレームが繰り返される無線フレームを生成し、
前記無線フレームを前記受信装置へ送信する
ことを含む送信装置のフレーム送信方法。
【請求項７】
所定の周期で間欠受信を行う受信装置であって、
送信装置から、前記周期よりも短い間隔で、繰り返し送信される少なくともプリアンブルと同期ワード及び前記受信装置に対するデータと繰り返し送信が終了するまでの期間の算出に用いられる情報とを含む組のうちいずれかの組に含まれるプリアンブルを受信すると、同じ組に含まれるデータを受信し、
前記情報に基づいて、さらなる繰り返し送信が終了するまで受信した前記データの重複受信を抑制する制御を行う
ことを含む受信装置のデータ受信方法。
【請求項８】
送信装置が備えるコンピュータに、
受信装置で行われる間欠受信の間隔より短い間隔で少なくともプリアンブル，同期ワード，前記受信装置に対するデータを含むサブフレームが繰り返されるフレームを生成するステップと、
前記フレームを前記受信装置へ送信するステップと、
を実行させるプログラム。
【請求項９】
所定の終期で間欠受信を行う受信装置が備えるコンピュータに、
送信装置から、前記周期よりも短い間隔で、繰り返し送信される少なくともプリアンブルと同期ワード及び前記受信装置に対するデータと繰り返し送信が終了するまでの期間の算出に用いられる情報とを含む組のうちいずれかの組に含まれるプリアンブルを受信すると、同じ組に含まれるデータを受信するステップと、
前記情報に基づいて、さらなる繰り返し送信が終了するまで受信した前記データの重複受信を抑制する制御を行うステップと
を実行させるプログラム。
【請求項１０】
送信装置と、
所定の周期で間欠受信を行う受信装置とを含み、
前記送信装置は、前記受信装置に対して、前記間欠受信の１つの受信期間よりも短い間隔で、少なくともプリアンブル，同期ワード，前記受信装置に対するデータ，繰り返し送信が終了するまでの期間の算出に用いられる情報を含む組を繰り返して、複数回送信する送信部を有し、
前記受信装置は、前記送信装置から、前記周期よりも短い間隔で、繰り返し送信される組のうちいずれかの組に含まれるプリアンブルを受信すると、同じ組に含まれるデータを受信するとともに、前記情報に基づいて、さらなる繰り返し送信が終了するまで受信した前記データの重複受信を抑制する制御を行う制御部を有する
通信システム。
【発明の詳細な説明】
【技術分野】
【０００１】
本発明は、通信システムに関する。
【背景技術】
【０００２】
無線通信を行うノード間において、受信側のノードの消費電力を削減する方法の一つに間欠受信がある。間欠受信では、受信側のノードは、以下のような動作を行う。すなわち、受信側のノードは、一定の間隔（監視間隔ともいう）でキャリアセンスを行う。受信側のノードは、キャリアセンスによりキャリア（送信側のノードから送信された無線フレーム）が検出されたときに、当該無線フレーム中のデータを受信する。受信側のノードは、キャリアセンスを実施していない間は、所定機能を除いて電源オフの状態（「省電力モード」と呼ばれる）となる。このように、間欠受信は、所定の間隔で省電力モードを解除して送信装置からのフレームの検出を試行し、無線フレームが検出できたときに当該無線フレーム中のデータを受信する方法といえる。
【０００３】
間欠受信において、監視間隔の時間長より無線フレームの送信時間が短いと、監視間隔内で送信された無線フレームを受信側のノードが検出できない場合が生じる。このため、無線フレームの送信時間は、監視間隔よりも長く設定される。例えば、監視間隔が２秒である場合には、例えば２．２秒程度のプリアンブルに同期ワード（Sync Word），ペイロ
ード，ＣＲＣ部が後続する一続きの無線フレームが送信される。データの受信は、ペイロードに含まれたデータを受信することでなされる。
【先行技術文献】
【特許文献】
【０００４】
【特許文献１】特開２０００−２０９２９９号公報
【特許文献２】特開２０１３−５４１９号公報
【発明の概要】
【発明が解決しようとする課題】
【０００５】
受信側のノードは、同期ワードが自ノードに保存された同期ワードと一致する場合にペイロードを受信する。このため、キャリア（プリアンブル）が検出された場合には、受信側のノードは、同期ワードの受信を待機する。同期ワードが検出される迄の間、省電力モードが解除された状態が継続する。
【０００６】
上述したように、プリアンブルの時間長が２．２秒程度であれば、プリアンブルが検出されてから同期ワードが受信される迄に２秒以上を要することが起こり得る。このような時間に亘って省電力モードが解除されることは消費電力削減の観点から好ましくなかった。
【０００７】
本発明は、受信装置で省電力モードが解除される時間の短縮化を図ることのできる技術を提供することを目的とする。
【課題を解決するための手段】
【０００８】
１つの態様では、送信装置は、間欠受信を行う受信装置に対し、間欠受信の間隔より短い間隔で少なくともプリアンブル，同期ワード，前記受信装置に対するデータを含むサブフレームが繰り返されるフレームを送信する送信部を含む。
【発明の効果】
【０００９】
１つの側面として、受信装置で省電力モードが解除される時間の短縮化を図ることができる。
【図面の簡単な説明】
【００１０】
【図１】図１は、関連技術に係る無線信号のフォーマットを示す図である。
【図２】図２は、関連技術における無線通信装置（送信装置、受信装置）における消費電力の説明図である。
【図３】図３は、実施形態に係る通信システムの一例を示す。
【図４】図４は、実施形態に係る通信システムにて、送信装置から受信装置へ送信される無線信号（無線フレーム）のフォーマット例を示す。
【図５】図５は、無線通信装置の構成例を示す図である。
【図６】図６は、ＭＣＵの処理例を示すフローチャートである。
【図７】図７は、ＲＦ  ＬＳＩの処理例を示すフローチャートである。
【図８】図８は、ＲＦ  ＬＳＩの処理例を示すフローチャートである。
【図９】図９は、実施形態の作用効果の説明図である。
【図１０】図１０は、実施形態の作用効果の説明図である。
【図１１】図１１は、データの重複受信の例を示す図である。
【図１２】図１２は、データの重複受信を回避する方法（残り時間の待機処理）の説明図である。
【発明を実施するための形態】
【００１１】
以下、図面を参照して実施形態について説明する。実施形態の構成は例示であり、実施形態の構成に限定されない。
【００１２】
〔関連技術〕
最初に、関連技術について説明する。図１は、関連技術に係る無線フレーム（無線信号）のフォーマットを示す図である。以下、「無線フレーム」は単に「フレーム」と表記する。図１に示すように、フレームは、プリアンブルと、プリアンブル以外の部分からなる。プリアンブル以外の部分は、例えば、プリアンブルに連続する同期ワード（Sync Word
）,ペイロード（データ）,及びCyclic Redundancy Check（ＣＲＣ：巡回冗長符号）を含
む。
【００１３】
図２は、関連技術における無線通信装置（送信装置、受信装置）における消費電力の説明図である。送信装置及び受信装置の夫々は、無線処理を行うＲＦ（Radio Frequency）
ＬＳＩ（Large Scale Integrated circuit）と、ＲＦ  ＬＳＩを制御するマイクロコントローラ（Micro Control Unit：ＭＣＵ）とを含んでいる。
【００１４】
図２において、最上段のチャートは、送信装置のＲＦ  ＬＳＩにおける消費電流と時間との関係（消費電力）を示す。上から２番目のチャートは、送信装置のＭＣＵにおける消費電流と時間との関係（消費電力）を示す。上から３番目のチャートは、受信装置のＲＦ
ＬＳＩにおける消費電流と時間との関係（消費電力）を示す。最下段のチャートは、受信装置のＭＣＵにおける消費電流と時間との関係（消費電力）を示す。
【００１５】
送信装置のＲＦ  ＬＳＩは、図１に示した無線信号（プリアンブル,同期ワード,ペイロード,ＣＲＣ）の送信時間、電流を消費する。当該時間外は、省電力モードに移行する。
一方、送信装置のＭＣＵは、プリアンブル,同期ワード,データ（ペイロード）,ＣＲＣを
生成する時間に加えて、ＲＦ  ＬＳＩを操作する時間、電流を消費する。当該時間外は、ＭＣＵは省電力モードに移行する。
【００１６】
一方、受信装置のＲＦ  ＬＳＩは、所定の監視間隔（以下、単に間隔、ＣＳ間隔ともい
う）で省電力モードを解除し、送信装置からの無線信号についてのキャリアセンス（ＣＳ）を実行する。キャリアセンスの時間、電力が消費される。キャリアセンスによってキャリアが検出された場合には、同期ワードを待機する（Sync Word待ち）。同期ワードの一
致が確認されると、ペイロード（データ）の受信（取り込み）が実行される。
【００１７】
これらのキャリア検出,同期ワード待機,ペイロード受信の間、ＲＦ  ＬＳＩはアクティブ状態（アクティブモード）である。このため、省電力モード時の消費電力よりも多くの電力が消費される。キャリア検出,同期ワード待機,ペイロード受信の時間外では、ＲＦ  ＬＳＩは、所定の機能を除いた非アクティブ状態、すなわち省電力モードに移行する。
【００１８】
受信装置のＭＣＵは、ＲＦ  ＬＳＩがペイロード（データ）を受信した場合に省電力モードが解除されアクティブ状態（アクティブモード）に遷移する。ＭＣＵは受信されたデータに対する処理を行い、処理が終了すると、再び省電力モードに遷移する。従って、ＭＣＵのデータ処理の間、省電力モード時の電力よりも多くの電力を消費する。
【００１９】
図２に示すような受信装置におけるキャリアの監視間隔が例えば２秒である場合には、図１及び図２に示したプリアンブルの時間長が例えば２．２秒に設定される。この場合、受信装置のＲＦ  ＬＳＩは、プリアンブルを検出した後、同期ワードを検出するために最長で２．２秒の同期ワード待ちを行う。同期ワード待ちの間、ＲＦ  ＬＳＩはアクティブモードであるため、省電力モード時よりも多くの電力を消費する。
【００２０】
以下に説明する実施形態では、上記したような同期ワード待ちの時間（省電力モードが解除されている時間）の短縮化によって、消費電力を削減可能なフレームの送信方法、及び無線通信装置などについて説明する。
【００２１】
〔実施形態〕
図３は、実施形態に係る通信システムの一例を示す。通信システムは、無線通信によってデータを授受する二つの無線通信装置１を備える。無線通信装置１の一方は、データを含む無線信号（フレーム）を送信する送信装置として動作し、他方の無線通信装置１は、送信された無線信号（フレーム）を受信する受信装置として動作する。以下、送信側の無線通信装置１を送信装置１Ａと表記し、受信側の無線通信装置１を受信装置１Ｂと表記する。
【００２２】
図４は、送信装置１Ａから受信装置１Ｂへ送信される無線信号（フレーム）のフォーマット例を示す図である。図４に示すように、フレーム１０は、所定の時間長を有し、同一内容を有する複数のサブフレーム１１が連続して繰り返されるフォーマットを有する。各サブフレーム１１は、プリアンブル１２,同期ワード１３,ペイロード（データ）１４,Ｃ
ＲＣ部１５を含む。プリアンブル１２，同期ワード１３，ＣＲＣ部１５のサイズは固定である。ペイロードのサイズは固定でも良く、可変でも良い。サブフレーム１１は、「組」の一例である。
【００２３】
ペイロード１４は、フレーム１０の終期（終了時期）を算出するための情報と、他のデータとを含む。終期算出用の情報は、例えば、サブフレーム１１の残りの繰り返し回数を示す情報を含む。また、終期算出用の情報は、例えば、サブフレーム１１の長さ（サイズ）を示す情報をさらに含んでもよい。サブフレーム長は、例えば、ペイロード１４がフレーム１０の長さ（サイズ）を示す情報を含み、フレーム１０の長さと繰り返し回数とから割り出されるようにしても良い。本実施形態では、１つの無線フレーム１０において、サブフレーム１１が繰り返し送信される。サブフレーム６の内容は、終期算出用の情報を除いて同一であることができる。もっとも、サブフレーム６の内容が、終期算出用の情報以外の情報についてサブフレーム間で異なっていても良い。
【００２４】
図５は、無線通信装置１の構成例を示す図である。図５に図示する無線通信装置１は、送信装置１Ａとしても、受信装置１Ｂとしても使用可能である。無線通信装置１は、無線処理を行うＲＦ  ＬＳＩ２０（以下、「ＬＳＩ２０」と表記）と、ＬＳＩ２０の動作制御及び受信データの処理を行うＭＣＵ３０とを含む。ＬＳＩ２０及びＭＣＵ３０は、共に、省電力モードとアクティブモードとの間を遷移する。
【００２５】
ＬＳＩ２０は、アンテナ２１と接続されたＲＦ処理部２２と、ＲＦ処理部２２と接続された受信検出部２３と、受信検出部２３と接続された同期ワード識別部２４と、同期ワード識別部２４に接続された受信通知部２５とを含む。さらに、ＬＳＩ２０は、同期ワード識別部２４に接続された受信部２６と、受信部２６に接続されたバッファ２６Ａと、受信部２６と接続された制御部２７とを含む。さらに、ＬＳＩ２０は、制御部２７に接続されたタイマ２８と、制御部２７に接続された送信部２９とを含み、送信部２９は、ＲＦ処理部２２に接続されている。
【００２６】
ＭＣＵ３０は、ＬＳＩ２０と電気的に接続されており、Read Only Memory（ＲＯＭ）３１と、Random Access Memory（ＲＡＭ）３２とを含む。ＲＦ処理部２２は、アンテナ２１から受信される無線信号の受信処理、及びアンテナ２１からの無線信号の送信処理を行う。
【００２７】
受信検出部２３は、フレーム１０のキャリアセンスを行い、ＲＦ処理部２２で受信されたキャリアを検出する。キャリアセンスは、予め設定された監視間隔で実施される。具体的には、受信検出部２３は、アンテナ２１で受信される電波の受信強度（RSSI：Received
Signal Strength Indicator：受信信号強度）が閾値を超えたときに受信を検出する。
【００２８】
同期ワード識別部２４は、受信検出部２３でキャリアが検出されたときに、キャリア中の同期ワード１３を待機する。同期ワード識別部２４は、同期ワード１３の待ちタイマを有する。同期ワード識別部２４は、待ちタイマが満了する前に同期ワード１３が受信された場合には、当該同期ワード１３がＬＳＩ２０に予め保存されている同期ワードと一致するか否かを判定する。受信通知部２５は、同期ワード識別部２４にて同期ワードが一致したときに、ＭＣＵ３０に割り込みによる受信通知を送り、ＭＣＵ３０の省電力モードを解除する（アクティブモードに遷移させる）。
【００２９】
受信部２６は、同期ワード識別部２４にて同期ワード１３が一致した場合にペイロード１４を受信してバッファ２６Ａに記憶する。バッファ２６Ａは、例えば、ペイロード１４が到着順に蓄積されるキュー（ＦＩＦＯ（First-In First-Out））を含む。
【００３０】
制御部２７は、ＬＳＩ２０の各部の動作を制御する。例えば、制御部２７は、タイマ２８を用いたキャリアセンスの間隔（監視間隔）の設定、同期ワード識別部２４が有する同期ワード１３の待ちタイマの計時時間の設定、フレーム１０の組み立て、などを行う。送信部２９は、フレーム１０の送信処理を行う。タイマ２８は、監視間隔を管理するタイマである。ＬＳＩ２０は、「送信部」及び「受信部」の一例である。なお、ＬＳＩ２０の少なくとも制御部２７で実行されるフレーム１０の終了時期の算出処理やフレーム１０の生成処理は、プロセッサがプログラムを実行することによってなされるようにしても良い。プロセッサは、ＣＰＵ，マイクロコンピュータ，マイクロコントローラなどを含む。
【００３１】
ＭＣＵ３０は、ＲＯＭ３１に記憶されたプログラムをＲＡＭ３２にロードして実行することにより、様々な処理を行う。例えば、ＭＣＵ３０は、間欠受信の間隔をＬＳＩ２０に設定する処理を行う。また、ＭＣＵ３０は、ＬＳＩ２０で受信されたデータに対する処理を実行する。
【００３２】
図６は、ＭＣＵ３０の処理例を示すフローチャートである。図６に示す処理は、例えば、ＭＣＵ３０の電源オンのような所定のトリガによって開始される。最初の０１では、ＭＣＵ３０は、初期化処理を実行する。
【００３３】
次の０２では、ＭＣＵ３０は、ＬＳＩ２０の間欠受信の間隔（監視間隔）の設定を行う。ＭＣＵ３０は、ＬＳＩ２０の制御部２７に、間隔の値を含む設定指示を送る。ＬＳＩ２０では、制御部２７が設定指示に従った間隔の設定を行う。
【００３４】
次の０３では、ＭＣＵ３０は、省電力モードへ移行する。即ち、ＬＳＩ２０からの割り込みによる受信通知を待機する状態となる（０４及び０５）。省電力モードにおいて、ＭＣＵ３０は、受信通知の待機を除いて、動作ないし処理が停止された（電源オフの）状態となる。
【００３５】
０５にて受信通知が受信されると（０５のＹｅｓ）、ＭＣＵ３０は、省電力モードを解除してアクティブモードに移行する（０６）。ＭＣＵ３０は、バッファ２６Ａのキューからペイロード１４に格納されていたデータを取り出し、当該データに対する所定の処理を実行する（０７）。データに対する処理が終了すると、処理が０３に戻り、再び省電力モードに移行する。
【００３６】
図７及び図８は、ＬＳＩ２０における処理例を示すフローチャートである。図７に示す処理は、例えば、ＬＳＩ２０の電源オンのような所定のトリガによって開始される。最初の１０１では、ＬＳＩ２０は、初期化処理を実行する。
【００３７】
初期化が終了すると、ＬＳＩ２０は、ＭＣＵ３０からの間欠受信の間隔の設定指示を待機する（１０２，１０３）。ＭＣＵ３０からの設定指示が入力されると、間欠受信の間隔設定が行われる（１０４）。すなわち、制御部２７は、ＭＣＵ３０からの設定指示を受け取り、設定指示によって指定された間隔をタイマ２８に設定する。これによって、タイマ２８が満了する毎に、受信検出部２３にてキャリアセンスが実施される。キャリアセンスは、「無線フレームの検出の試行」の一例である。
【００３８】
間隔の設定が終了すると、ＬＳＩ２０は省電力モードに移行し、キャリアセンス（ＣＳ）タイミングを待つ状態となる。すなわち、ＬＳＩ２０は、タイマ２８の満了を待つ状態となる。ＬＳＩ２０の省電力モードでは、制御部２７がタイマ２８の満了を待機する機能を除いて、動作ないし処理が停止された（電源オフの）状態となる。
【００３９】
タイマ２８の満了、すなわちＣＳタイミングになると（１０６のＹｅｓ）、ＬＳＩ２０は、省電力モードからアクティブモードに移行し、受信検出部２３がキャリアセンスを実施する（１０７）。即ち、受信検出部２３は、アンテナ２１で受信される受信信号強度（ＲＳＳＩ）を測定し、ＲＳＳＩが所定の閾値を超えるか否かを判定する（１０８）。ＲＳＳＩが閾値を超えない場合には（１０８のＮｏ）、キャリアが検出されなかったものとして、処理が１０５に戻り、ＬＳＩ２０は省電力モードとなり、次のＣＳタイミングまで待機する。
【００４０】
これに対し、ＲＳＳＩが閾値を超える場合には（１０８のＹｅｓ）、処理が１０９に進む。１０９では、同期ワード識別部２４が、同期ワード１３の待ちタイマをセットし、同期ワード１３の受信を待機する（１１０）。待ちタイマの満了前に同期ワード１３が受信された場合には（１１０のＹｅｓ）、処理が１１１に進む。これに対し、待ちタイマが満了した場合には（１０９のＹｅｓ）、ＬＳＩ２０は、省電力モードに移行して次のＣＳタイミングを待つ（１０５）。
【００４１】
１１１では、同期ワード識別部２４が、同期ワードのチェックを行う。すなわち、同期ワード識別部２４は、受信された同期ワード１３と予めＬＳＩ２０に保存されている同期ワードとを比較して両者が一致するか否かを判定する。このとき、同期ワード１３が一致しない場合には（１１１のＮｏ）、処理が１０５に戻る。これに対し、同期ワード１３が一致する場合には（１１１のＹｅｓ）、受信部２６が同期ワード１３に続くペイロード１４を受信して、バッファ２６Ａに格納する（１１２）。このとき、受信部２６はＣＲＣチェックを行い、ＣＲＣチェック結果がＯＫの場合に、ペイロード１４をバッファ２６Ａに格納する。ＣＲＣチェックがＮＧの場合には、ペイロード１４の格納は行われず、ＬＳＩ２０は、次のＣＳタイミングを待機する状態となる。
【００４２】
ペイロード１４が正常にバッファ２６Ａに格納された場合には、受信通知部２５が割り込みによって受信通知をＭＣＵ３０に送る（１１３）。これによって、ＭＣＵ３０は、図６の０６及び０７の処理を行う。
【００４３】
１１４では、制御部２７がバッファ２６Ａに格納されたペイロード１４中の終期算出用の情報（図４）を参照し、フレーム１０の受信の終期（終了時期）を計算する。終了時期の計算は、例えば、以下のようにして算出することができる。サブフレーム１１の残りの繰り返し回数と、サブフレーム長（サイズ）とから残りのフレーム１０のサイズ（ビット又はバイト数）を計算する。通信速度（ＬＳＩ２０において既知）を用いて残りのフレーム１０のサイズを時間に換算する。
【００４４】
次の１１５では、フレーム１０の残り時間の待機処理を行う。すなわち、制御部２７は、１１４での計算結果（フレーム１０の終了時期）に基づき、フレーム１０の終了時期より後で、最初に発生するＣＳタイミングでタイマ２８が満了するようにタイマ２８の設定を行う。その後、処理が１０５に戻り、ＬＳＩ２０が省電力モードに移行する。なお、「残り時間の待機処理」の詳細は後述する。
【００４５】
図９は、実施形態に係る通信システム（送信装置１Ａ及び受信装置１Ｂ）の作用効果の説明図である。図９において、最上段のチャートは、送信装置１ＡのＬＳＩ２０における消費電流と時間との関係（消費電力）を示す。上から２番目のチャートは、送信装置１ＡのＭＣＵ３０における消費電流と時間との関係（消費電力）を示す。上から３番目のチャートは、受信装置１ＢのＬＳＩ２０における消費電流と時間との関係（消費電力）を示す。最下段のチャートは、受信装置１ＢのＭＣＵ３０における消費電流と時間との関係（消費電力）を示す。
【００４６】
送信装置１ＡのＭＣＵ３０は、フレーム１０の生成及びＬＳＩ２０の操作時間、アクティブモードで動作し、省電力モード時の電力より多い電力を消費する。送信装置１ＡのＬＳＩ２０は、フレーム１０の送信時間、アクティブモードで動作し、省電力モード時の電力より多い電力を消費する。
【００４７】
受信装置１ＢのＬＳＩ２０は、例えば、フレーム１０の時間長より短い間隔でキャリアセンス（ＣＳ）を実施する。但し、ＣＳの間隔がフレーム１０の時間長より短いことは必ずしも必須ではない。但し、フレーム１０内で繰り返されるサブフレーム１１（図４）の時間長は、ＣＳの間隔より短い。一例として、フレーム１０の送信時間は、２．２秒に設定される。
【００４８】
フレーム１０は、同期ワード１３を含んだ同一内容のサブフレーム１１が繰り返されるフォーマットを有する（図４）。このため、受信装置１ＢのＣＳでフレーム１０の何れかのサブフレーム１１のプリアンブル１２が検出されれば、当該サブフレーム１１中の同期
ワード１３を受信できる。このため、フレーム１０が検出されてから同期ワード１３が受信されるまでに要する時間は、関連技術に比べて短くなる。同期ワード１３の待ち時間が短くなることは、ＬＳＩ２０がアクティブモードで動作する時間を短縮できることを意味する。よって、ＬＳＩ２０の消費電力を削減することができる。
【００４９】
また、フレーム１０において、同一内容のサブフレーム１１が繰り返されることで、受信装置１Ｂは、フレーム１０が検出されてから当該フレーム１０が終了するまでの間に、複数回の同期ワード１３の受信機会を得ることができる。すなわち、フレーム１０の検出のタイミングによっては、検出時のサブフレーム１１の同期ワード１３を受信できない場合が起こり得る。しかし、次のサブフレーム１１があれば、次のサブフレーム１１の同期ワード１３を受信することができる。この場合でも、待ち時間が関連技術より長くなることはない。
【００５０】
また、フレーム１０のプリアンブル１２の時間長が関連技術に比べて短くなるため、同期ワード１３の待ちタイマの満了時間（待ち時間）も短縮化することができる。待ち時間は、例えば、プリアンブル１２の時間長に合わせて設定しても良く、サブフレーム１１の時間長に合わせて設定しても良い。
【００５１】
或いは、待ち時間は、ペイロード１４が固定長である場合には、或るサブフレーム１１の先頭から次のサブフレーム１１のペイロード１４までの時間長に所定のマージン時間を加えた時間を設定しても良い。これにより、フレーム１０の検出時のサブフレーム１１（図１２中の左から２番目のサブフレーム１１）か、次のサブフレーム１１の同期ワード１３を検出することができる。或いは、待ち時間は、２つのサブフレーム１１の時間長に設定されても良い。このように待ち時間は適宜設定可能である。このとき、関連技術のように、監視間隔より長い待ち時間を設定することは要求されない。
【００５２】
図１０は、実施形態に係る通信システム（送信装置１Ａ及び受信装置１Ｂ）の他の作用効果の説明図である。図１０の最上段のチャートは、干渉電波（ノイズ）を示す。中段のチャートは、比較例として、関連技術の受信装置が干渉電波を受信したときのＲＦ  ＬＳＩの動作を示す。下段のチャートは、受信装置１Ｂが干渉電波を受信したときのＬＳＩ２０を示す。
【００５３】
干渉電波は同期ワードを含んでいないため、受信装置は、待ちタイマが満了するまで同期ワードの受信を待機する。比較例では、プリアンブルの長さより長い待ち時間が設定されているので、プリアンブルが２．２秒であれば、２．２秒以上ＲＦ  ＬＳＩがアクティブモードで動作する。これに対し、受信装置１Ｂでは、上記した理由で、待ち時間を短縮化できるので、ＬＳＩ２０がアクティブモードで動作する時間を短縮できる。このように、受信装置１Ｂによれば、干渉電波の受信に伴う電力浪費を回避することができる。
【００５４】
最後に、「残り時間の待機処理」について説明する。図１１は、データの重複受信の例を示す図である。図１２は、データの重複受信を回避する方法（残り時間の待機処理）の説明図である。
【００５５】
図１１に示すように、フレーム１０の時間長（送信時間）と監視間隔とがほぼ同程度、或いは送信時間が監視間隔より長い場合には、或るＣＳでフレーム１０を検出した後に、次のＣＳで同一のフレーム１０を検出する可能性は少ない。図１１の上段及び中段のチャートは、フレーム１０の送信時間が２．２秒でＣＳの間隔が２秒の場合を例示している。この場合、フレーム１０を検出したＣＳタイミングの次のＣＳタイミングでは、当該フレーム１０は既に終了している。
【００５６】
ところが、フレーム１０の送信時間よりもＣＳの間隔が十分に短い場合には、受信装置１Ｂが同一のペイロード（データ）を重複受信することが起こり得る。図１１の下段は、ＣＳの間隔が０．５秒である場合を例示している。受信装置１Ｂは、フレーム１０を検出してペイロード１４を受信した後に、次のＣＳで、同一のフレーム１０を再度検出し、異なるサブフレーム１１からペイロードを受信している。同一のペイロード１４（データ）を受信することは無用な処理である。
【００５７】
このような同一のデータの重複受信を回避する方法が、「残り時間の待機処理」である。既に説明したように、残り時間の待機処理として、受信されたペイロード１４中のフレーム１０の終期算出用の情報を用いて、フレーム１０の終了時期が算出される。例えば、サブフレーム１１の残りの繰り返し回数と、サブフレーム１１の長さとから、フレーム１０の終了時期を算出することができる。制御部２７によるタイマ２８の設定によって、この終了時期の後に発生するＣＳタイミングまで、ＬＳＩ２０が省電力モードを維持する。
【００５８】
これによって、図１２に示すように、少なくともフレーム１０が終了するまでの間は、ＣＳが停止される。このため、ペイロード１４の重複受信が回避されるとともに、消費電力削減を図ることができる。なお、残り時間の待機処理はオプションであり、当該処理に係る構成は省略可能である。以上説明した実施形態の構成は、適宜組み合わせることができる。  
【符号の説明】
【００５９】
１・・・無線通信装置
１Ａ・・・送信装置
１Ｂ・・・受信装置
１０・・・フレーム
１１・・・サブフレーム
１２・・・プリアンブル
１３・・・同期ワード
１４・・・ペイロード（データ）
２０・・・ＲＦ  ＬＳＩ
３０・・・ＭＣＵ
【図１】
2016139990.tif 000003
【図２】
2016139990.tif 000004
【図３】
2016139990.tif 000005
【図４】
2016139990.tif 000006
【図５】
2016139990.tif 000007
【図６】
2016139990.tif 000008
【図７】
2016139990.tif 000009
【図８】
2016139990.tif 000010
【図９】
2016139990.tif 000011
【図１０】
2016139990.tif 000012
【図１１】
2016139990.tif 000013
【図１２】
2016139990.tif 000014